(57)【要約】【課題】  電子・電気機器等を搭載するラックにおける搭載機器の取付に際し、１人でも搭載機器の取付を容易にすることが可能なラック用機器取付支持具を提供すること。【解決手段】  支柱３１間のスペースに、搭載機器が配されるように、少なくとも２本の支柱に対して搭載機器を直接取り付けるラック３０への機器取付支持具１であって、取付支持具１は、搭載機器が取り付けられる少なくとも２本の支柱３１に取付可能な仮台部２と、仮台部２に配された昇降手段を有するリフター３とを備え、リフター３には、搭載機器を載置可能な機器載置部３ａを有する。【選択図】図３
2014072354.tif 000002
【特許請求の範囲】
【請求項１】
支柱間のスペースに、搭載機器が配されるように、少なくとも２本の支柱に対して前記搭載機器を直接取り付けるラックへの機器取付支持具であって、
当該取付支持具は、搭載機器が取り付けられる少なくとも２本の支柱に取付可能な仮台部と、仮台部に配された昇降手段を有するリフターとを備え、
前記リフターには、前記搭載機器を載置可能な機器載置部を有することを特徴とするラック用機器取付支持具。
【請求項２】
前記リフターは、仮台とは別体であり、仮台に載置可能であることを特徴とする請求項１に記載のラック用機器取付支持具。
【請求項３】
前記仮台と前記リフターとは、一体であることを特徴とする請求項１に記載のラック用機器取付支持具。
【請求項４】
前記リフターは、所望の位置で機器載置台を固定可能なロック機構を有することを特徴とする請求項１乃至請求項３のうち、いずれか１に記載のラック用機器取付支持具。
【発明の詳細な説明】
【技術分野】
【０００１】
本発明は、電子・電気機器等を搭載するラックにおける搭載機器の取付に際し、１人でも搭載機器の取付を容易に行うことが可能なラック用機器取付支持具に関する。
【背景技術】
【０００２】
コンピュータネットワークシステム等においては、使用されるサーバ、ストレージ装置、コンピュータ、交換機、伝送装置、測定機器、電源等といった複数の電子・電気機器類をラックに組み込んで整列配置させるのが一般的であり、例えば、機器取付用の支柱のネジの水平間隔が１９インチと定められて、複数の機器を収納可能ないわゆる１９インチラックが挙げられる。
【０００３】
図６は、従来のラックへの搭載機器の取付方法を示す斜視図である。図６に示すように、ラック３０は、４本の支柱３１（正面側支柱３１ａ，背面側支柱３１ｂ）をラック３０の上部及び下部においてフレームを介して連結した構造となっている。各支柱３１には、搭載する機器を取り付けるための取付ステー３３（正面側取付ステー３３ａ，背面側取付ステー３３ｂ）が配されている。各取付ステー３３には、各支柱３１に沿って規格で定められた等間隔で螺子穴３３ａ１，３３ｂ１が縦方向に配されている。
【０００４】
搭載機器の取付にあたっては、ラック３０の各支柱３１間に取付ステー３３を用いて、レール（図示せず）を設置し、そのレールに対して搭載機器を取り付ける場合もある。
【０００５】
一方で、ラック収納用の電子・電気機器類には、予めラック３０の取付ステー３０へ直接取り付けるための鍔部が配されていることが多い。
【０００６】
即ち、例えば、図６に示すように、電子機器３５，３７については、その正面部分の左右両側に伸び出した鍔状の取付鍔部３５ａ，３７ａを備えており、取付鍔部３５ａ，３７ａには、ラック３０の螺子穴３３ａ１，３３ｂ１の間隔に対応した螺子穴３５ａ１（図４（ａ），（ｂ）のみで図示），３７ａ１が配されている。
【０００７】
電子機器３５，３７は、ラック３０の各支柱３１間のスペースＳに配されて、取付鍔部３５ａ，３７ａを介して、ラック３０の正面側取付ステー３３ａへと螺子３９によって締結固定されている。これによって、電子機器３５，３７のラック３０への取付が完了する。
【先行技術文献】
【特許文献】
【０００８】
【特許文献１】特開平１０−２７０８７５号公報
【発明の概要】
【発明が解決しようとする課題】
【０００９】
しかしながら、ラックに収納される電子・電気機器類は、５ｋｇ以上もするものが多々存在し、重量物である場合には、１人でラックへの取付を行うことは、一方の手で搭載機器を支持し、もう一方の手で螺子による締結固定を行うため、非常に不安定であり、困難であった。
【００１０】
そのため、片手で支持することが困難な搭載機器のラックの取付にあたっては、２人で作業を行い、一方の人が搭載機器を支持し、他方の人が搭載機器のラックへの締結固定を行っており、搭載機器の取付に必要な人数が増加し、コスト面で問題となっている。
【００１１】
そこで、本発明は、上述の問題に鑑みてなされたものであり、電子・電気機器等を収納するラックにおける機器の取付に際し、１人でも搭載機器の取付を容易にすることが可能なラック用機器取付支持具を提供することを目的とする。
【課題を解決するための手段】
【００１２】
上記目標達成のため、本発明は、支柱間のスペースに、搭載機器が配されるように、少なくとも２本の支柱に対して前記搭載機器を直接取り付けるラックへの機器取付支持具であって、当該取付支持具は、搭載機器が取り付けられる少なくとも２本の支柱に取付可能な仮台部と、仮台部に配された昇降手段を有するリフターとを備え、前記リフターには、前記搭載機器を載置可能な機器載置部を有することを特徴とする。
【００１３】
また、本発明の前記リフターは、仮台とは別体であり、仮台に載置可能であることを特徴とする。
【００１４】
また、本発明の前記仮台と前記リフターとは、一体であることを特徴とする。
【００１５】
また、本発明の前記リフターは、所望の位置で機器載置台を固定可能なロック機構を有することを特徴とする。
【発明の効果】
【００１６】
本発明によれば、電子・電気機器等を搭載するラックにおける搭載機器の取付に際し、１人でも容易かつ安定して、搭載機器を取り付けることが可能であり、作業性及び安全性の大幅な改善が可能であり、搭載機器の取付に際し、２人用意する必要もないことから、コストの増加をも防止可能である。
【００１７】
本発明によれば、リフターは、仮台とは別体であり、仮台に載置可能であることから、先に軽量な仮台のみをラックに取り付けてその後に、リフターを仮台に両手を用いて載せおくことが可能であり、確実かつ安定して取付支持具をラックに取り付けることが可能であり、さらに、搭載機器のラックへの取付が可能となる。
【００１８】
本発明によれば、仮台とリフターとは、一体とすることも可能であり、一体の構成とした場合においては、より簡素な手順で取付支持具をラックに取付可能である。
【００１９】
本発明によれば、リフターは、所望の位置で機器載置台を固定可能なロック機構を有するため、使用者は、所望の位置で搭載機器をラックに容易に取付可能である。
【図面の簡単な説明】
【００２０】
【図１】本発明の第１の実施形態に係るラック用機器取付支持具の構成を示す斜視図である。
【図２】本発明の第１の実施形態に係るラック用機器取付支持具の他の構成を示す斜視図である。
【図３】図１に示すラック用機器取付支持具の使用方法を示す斜視図である。
【図４】図３に示すラック用機器取付支持具の使用手順を（ａ）乃至（ｄ）の順で示す概略図である。
【図５】本発明の第２の実施形態に係るラック用機器取付支持具の構成を示す斜視図である。
【図６】従来のラックへの搭載機器の取付方法を示す斜視図である。
【発明を実施するための形態】
【００２１】
［本発明の第１の実施形態に係るラック用機器取付支持具］
以下、本発明の第１の実施形態に係るラック用機器取付支持具について図１乃至図４を参照しながら詳細に説明する。図１は、本発明の第１の実施形態に係るラック用機器取付支持具の構成を示す斜視図である。図２は、本発明の第１の実施形態に係るラック用機器取付支持具の他の構成を示す斜視図である。図３は、図１に示すラック用機器取付支持具の使用方法を示す斜視図である。図４は、図３に示すラック用機器取付支持具の使用手順を（ａ）乃至（ｄ）の順で示す概略図である。尚、背景技術において説明したものと同一機能及び構成を有するものについては同一の参照符号を付して示し、その詳細な説明は省略する。
【００２２】
尚、本発明のラック用機器取付支持具は、電子・電気機器等を搭載するラックにおける機器の取付に際し、まず、ラックに対して、一人でも容易に取付可能な取付支持具を取り付け、その後、取付支持具に搭載機器を載置してラックに搭載機器を取付可能とすることにより、１人による作業であっても、確実かつ容易に搭載機器のラックへの取付を実現したものである。
【００２３】
［本発明の第１の実施形態に係るラック用機器取付支持具の構成］
図１を使用して本発明の第１の実施形態に係るラック用機器取付支持具の構成を説明する。図１に示すように、ラック用機器取付支持具（取付支持具１）は、ラック３０の支柱３１に取り付けられる仮台２と、仮台２に載置され、電子・電気機器類をやはり載置可能であって、昇降手段を有するリフター３から構成される。
【００２４】
［仮台の構成］
図１及び図３に示すように、仮台２は、ラック３０の正面側支柱３１ａに対して取り付けられるものであって、平板状の箱体等によって構成され、フラットに構成されたリフター載置部２ａを備え、ラック３０への取付を行うべく、リフター載置部２ａを構成する箱体の正面側に鍔状に箱体から突出した取付鍔部２ｂを左右に有している。
【００２５】
取付鍔部２ｂは、ラック３０の正面側支柱３１ａの正面側取付ステー３３ａに対応するものであって、取付鍔部２ｂに配された螺子穴２ｂ１を介して螺子３９により、ラック３０側の螺子穴３３ａ１を有する正面側取付ステー３３ａに締結固定可能となっている。
【００２６】
仮台２は、１人でラック３０への固定を可能とするべく、ラック３０に取り付けられる搭載機器（電子機器３５，３７）よりも軽量である必要があり、本実施形態では箱型に構成されているが、箱体の内部は中空に構成され、非常に軽量の構成となっている。また、箱型ではなく、中実の薄い板金によって仮台を構成することも可能である。
【００２７】
［リフターの構成］
図１及び図３に示すように、リフター３は、仮台２をラック３０に取付後、仮台２に載置されるものであって、電子・電気機器類をやはり載置可能であって、昇降手段を有して搭載機器を所望の位置に固定して、ラック３０への取付を容易かつ確実にするものである。
【００２８】
図１に示すように、リフター３は、電子・電気機器類を載置するフラットに構成された機器載置部３ａと、仮台２のリフター載置部２ａに接触する底部３ｂと、機器載置部３ａと底部３ｂとの間において、リフター３の昇降機能を担う伸縮部３ｅとによって大きく構成されている。
【００２９】
リフター３の伸縮部３ｅは、既存のどの種の伸縮機構をも採用可能であり、例えば、図１及び図３に示すリフター３は、既存の一般的な伸縮機構を採用したものであり、機器載置部３ａと底部３ｂとの間に掛けられたＸ字状の斜桟の動作によって、リフター３の伸縮を行うものであり、Ｘ字状の斜桟に連結されたスライドレバー３ｃのスライド動作によって、リフター３の伸縮が自在に可能である。
【００３０】
また、リフター３は、所望の位置に機器載置部３ａを固定可能なロック機構を有している。例えば、図１及び図３に示すリフター３においては、スライドレバー３ｃ自体を固定可能な、底部３ｂに設けられたスライドレバー３ｃ挿通のための開口に鋸の歯状のロック機構部３ｄを設け、鋸の歯状の部分にスライドレバー３ｃを引っかけて、伸縮部３ｅのロックを行う。
【００３１】
尚、上記図１及び図３に示すリフター３においては、ロック機構部３ｄを模式的に表現したため、鋸の歯状の部分が極端に少ないが、機器載置部３ａの細かい位置決めを可能とするべく、鋸の歯状の部分の数を増大したものを利用可能であり、また、他のロック機構を利用可能であることは当然である。
【００３２】
その他、油圧式シリンダを用いた伸縮機構、車両用ジャッキに用いられるようなボールネジ機構を用いた伸縮機構等、適宜採用可能であり、ロック機構が備えられていれば、どのような伸縮機構をも利用可能である。
【００３３】
そのため、図２に示すような、機械式のリフター８をも使用可能である。即ち、図２においては、図１と同様に、機器載置部８ａ、底部８ｂを有する。また、その間に介されて、内部に機械式伸縮機構を備える、外観が蛇腹状に構成された伸縮部８ｅを有する。そして、使用者が足踏みによって、リフター８の伸縮操作を可能とする足踏みスイッチ８ｆを有しており、このような構成によっても、本発明は実現可能である。
【００３４】
この場合においても、仮台２の構成は図１と同様であり、リフター８をラック３０に取り付けられた仮台２に載置することにより使用するものである。
【００３５】
［本発明の第１の実施形態に係るラック用機器取付支持具の使用方法］
図３及び図４を用いて、本発明の第１の実施形態に係るラック用機器取付支持具の使用方法を説明する。
【００３６】
まず、図３に示すように、ラック３０に対して仮台２の取付をラック３０の正面側から行う。仮台２は、軽量に構成されているため、即ち、リフター３を載置する機能以外に他の機能を持たずに軽量であるため、１人での容易な取付が可能である。
【００３７】
ラック３０の対する仮台２の取付は、ラック３０の正面側取付ステー３３ａの螺子穴３３ａ１と、仮台２の取付鍔部２ｂの螺子穴２ｂ１との位置合わせを行い、螺子３９による締結固定により行う。
【００３８】
次に、図３の矢印で示すように、リフター３を仮台２のリフター載置部２ａに載せ置く。
【００３９】
次に、図４（ａ）に示すように、所望の搭載機器（電子機器３５）を仮台２に載置されたリフター３の機器載置部３ａにラック３０の正面側から載せ置く。この場合、図６における電子機器３５と電子機器（ショートタイプ）３７に示すように、ラック３０に取り付ける搭載機器の奥行等の大きさが異なることから、適宜、仮台２上のリフター３の位置を適宜調整して、バランスよく搭載機器を支えるため、リフター３の載置位置を適宜調整する。
【００４０】
また、同様にリフター３上に載置された電子機器３５の位置を適宜調整して、ラック３０の正面側支柱３１ａに電子機器３５を取り付けやすい位置にしておく。
【００４１】
次に、図４（ｂ）に示すように、リフター３を操作して、電子機器３５をラック３０における所望の取付位置にまで上昇させ、適宜、位置を調整して、ラック３０の正面側取付ステー３３ａの螺子穴３３ａ１と、電子機器３５の取付鍔部３５ａの螺子穴３５ａ１（図４（ｂ））との位置合わせを行い、螺子３９により締結固定する。
【００４２】
この後、図４（ｃ）に示すように、リフター３を操作して下降させることにより、リフター３の機器載置部３ａを電子機器３５から引き離す。これにより、所望の電子機器３５の取付が完了し、他に取り付けたい機器がなければ、リフター３を仮台２上から取り除き、さらに、仮台２をラック３０から取り外して、ラック３０への機器の取付が完了する。
【００４３】
一方で、他に取り付けたい機器が存在する場合においては、仮台２を例えば、ラック３０のさらに下方の位置に再度取り付けることにより、再度、搭載機器の取付を行う。
【００４４】
また、図４（ｃ）の如く、リフター３の機器載置部３ａを下降させた状態で、仮台２の位置を変更せずに、即ち、仮台２をラック３０から取り外さずに、他の搭載機器を取り付け可能と判断する場合は、図４（ｄ）に示すように、他の搭載機器（電子機器３７）をそのままリフター３に載せ置き、再度リフター３を操作して、所望の位置に電子機器３７を固定して、ラック３０に電子機器３７を取り付けることが可能である。
【００４５】
［本発明の第２の実施形態に係るラック用機器取付支持具］
本発明の第２の実施形態に係るラック用機器取付支持具について、図５を用いて説明する。図５は、本発明の第２の実施形態に係るラック用機器取付支持具の構成を示す斜視図である。この第２の実施形態において、第１の実施形態と同様な部分は、同一の符号を付してその説明を省略する。図５に示すように、本発明の第２の実施形態においては、第１の実施形態に比して、仮台２とリフター３を一体化させた点のみが相違する。
【００４６】
即ち、本発明の第２の実施形態に係るラック用機器取付支持具（取付支持具１０）は、図５に示すように、仮台にリフターを組み込んで一体化させたものであって、仮台として機能する基体部１０ａと、電子・電気機器類を載置するフラットに構成された機器載置部１０ｂと、基体部１０ａと機器載置部１０ｂとの間において、昇降機能を担う伸縮部１０ｅとによって大きく構成されている。
【００４７】
図５に示すように、基体部１０ａは、ラック３０の正面側支柱３１ａに対して取り付けられるものであって、本実施形態においては、上方が開放された枡型形状をなし、開放面に伸縮部を収納可能となっている。
【００４８】
また、ラック３０への取付を行うべく、基体部１０ａの枡型体の正面側に鍔状に箱体から突出した取付鍔部１０ｃを左右に有している。取付鍔部１０ｃは、ラック３０の正面側支柱３１ａの正面側取付ステー３３ａに対応するものであって、取付鍔部１０ｃに配された螺子穴１０ｃ１を介して螺子３９により、ラック３０側の螺子穴３３ａ１を有する正面側取付ステー３３ａに締結固定可能となっている。
【００４９】
伸縮部１０ｅは、第１の実施形態同様の構成を採り、また、スライドレバー１０ｆ、ロック機構部１０ｄについても、基体部１０ａに配された点以外はやはり第１の実施形態と同様である。
【００５０】
スライドレバー１０ｆは、スライド操作によって、伸縮部１０ｅの伸縮が自在に可能であり、また、ロック機構部１０ｄは、所望の位置に機器載置部１０ｂを固定可能である。尚、既存のどの種の伸縮機構をも採用可能である点も第１の実施形態と同様である。
【００５１】
取付支持具１０は、１人でラック３０への固定を可能とするべく、ラック３０に取り付けられる機器（電子機器３５，３７）よりも軽量である必要がある。
【００５２】
本実施形態における取付支持具１０の使用方法については、取付支持具１０自体が、仮台部分（基体部１０ａ）とリフター部分（昇降手段）との一体構成となっているため、同時に仮台部分（基体部１０ａ）とリフター部分（昇降手段）との取付が可能である以外は、第１の実施形態における使用方法の説明、図３及び図４と同様である。
【００５３】
本実施形態によれば、仮台部分（基体部１０ａ）とリフター部分（昇降手段）が一体となっているため、使用者は、取付支持具１０をラック３０に取り付けるのみで、その後、機器の取付が可能となり、取付支持具１０のラック３０への取付手順が簡素化され、工数を減らすことが可能である。
【００５４】
この発明は、その本質的特性から逸脱することなく数多くの形式のものとして具体化することができる。よって、上述した実施形態は専ら説明上のものであり、本発明を制限するものではないことは言うまでもない。
【符号の説明】
【００５５】
１          取付支持具（第１の実施形態）
２          仮台
２ａ        リフター載置部
２ｂ        取付鍔部
２ｂ１      螺子穴
３          リフター
３ａ        機器載置部
３ｂ        底部
３ｃ        スライドレバー
３ｄ        ロック機構部
３ｅ        伸縮部
８          リフター
８ａ        機器載置部
８ｂ        底部
８ｅ        伸縮部
８ｆ        足踏みスイッチ
１０        取付支持具（第２の実施形態）
１０ａ      基体部
１０ｂ      機器載置部
１０ｃ      取付鍔部
１０ｃ１    螺子穴
１０ｄ      ロック機構部
１０ｅ      伸縮部
１０ｆ      スライドレバー
３０        ラック
３１        支柱
３１ａ      正面側支柱
３１ｂ      背面側支柱
３３        取付ステー
３３ａ      正面側取付ステー
３３ａ１    螺子穴
３３ｂ      背面側取付ステー
３３ｂ１    螺子穴
３５        電子機器（搭載機器）
３５ａ      取付鍔部
３５ａ１    螺子穴
３７        電子機器（ショートタイプ）（搭載機器）
３７ａ      取付鍔部
３７ａ１    螺子穴
３９        螺子
Ｓ          収納空間
【図１】
2014072354.tif 000003
【図２】
2014072354.tif 000004
【図３】
2014072354.tif 000005
【図４】
2014072354.tif 000006
【図５】
2014072354.tif 000007
【図６】
2014072354.tif 000008